(57)【要約】【課題】従来ハンドテープカッターは、粘着テープ挟み板を一方の手の指で押さえて、粘着テープをローラー方向に運ぶ操作は非常に困難が伴う欠点があった。【解決手段】カッターボディー(４)の下部に設けられた付着管軸(１０)にラチェットギア付着管(１１)が装着され、粘着テープ押さえ板装着軸(１２)に粘着テープ押さえローラー(１５)を有する粘着テープ押さえローラーアーム(１４)とスプリング(１９)と突起(１８)とコントロールレバー(２０)が装着され一体に作動出来て、コントロールレバーストッパー(２１)にコントロールレバー(２０)を係止させて、ラチェットギア付着管(１１)と粘着テープ押さえローラー(１５)の距離を空けて粘着テープ押さえローラー(１５)を一時停止させておくことが出来る。【選択図】  図２
2020083605.tif 000002
【特許請求の範囲】
【請求項１】
粘着テープを収納して使用するテープカッター（１）は、粘着テープ押さえ板(２)と紙管ホルダー(３)を有するカッターボディー(４)に設けられたローラー軸(５)にローラー(６)が装着されて、カッターボディー(４)上部にカッター刃ホルダー(７)とカッター刃(８)が装着され、カッターボディーの下部に設けられた付着管軸(１０)にラチェットギア付着管(１１)が装着されている、と共に、カッターボディー(４)上部に設けられた粘着テープ押さえ板装着軸(１２)に粘着テープ押さえローラーアームストッパー(１６)を有するラチェットギアコントロールバー(１３)と、粘着テープ押さえローラー(１５)を有する粘着テープ押さえローラーアーム(１４)とスプリング(１９)が装着されていて、粘着テープ（１）操出後の際にスプリング(１９)によりラチェットギア付着管(１１)のギアとラチェットギアコントロールバー(１３)が係止して、粘着テープ(１)がラチェットギア付着管(１１)と粘着テープ押さえローラー(１５)に挟まって粘着テープ（１）の巻き戻りが防止されることを特徴とするテープカッター。
【請求項２】
上記、粘着テープ押さえ板装着軸(１２)に突起(１８)と、コントロールレバー(２０)が装着されていて、コントロールレバー(２０)と粘着テープ押さえ板装着軸(１２)と突起(１８)は一体に作動していて、カッターボディー(４)に形成されたコントロールレバーストッパー(２１)にコントロールレバー(２０)を留て、ラチェットギア付着管(１１)と粘着テープ押さえローラー(１５)の距離を空けて粘着テープ押さえローラー(１５)を停止せておくことが出来て、カッターボディー(４)に粘着テープ（１）を装着する際に粘着テープ（１）端をローラー(６)方向に容易にセットすることをでき様に成っていることを特徴とする請求項1に記載のテープカッター。
【発明の詳細な説明】
【技術分野】
【０００１】
粘着テープを格納する粘着テープ紙管ホルダーと、粘着テープ紙管ホルダーに装着された粘着テープから巻き外された粘着テープを所定の被貼着面に貼着し、所望の位置で切断することができる装置に関する。
【背景技術】
【０００２】
従来ハンドテープカッターは、粘着テープ紙管ホルダーに装着された粘着テープから巻き外された粘着テープを挟むラチェットギア付着管と粘着テープ挟み板とにより挟んでいて、粘着テープから巻き外された粘着テープをローラー方向に運ぶ際に粘着テープ挟み板を一方の手の指で押さえていた。
【０００３】
しかしながら従来の粘着テープ挟み板を一方の手の指で押さえて、粘着テープをローラー方向に運ぶ操作は非常に困難が伴う欠点があった。
【先行技術文献】
【特許文献】
【０００４】
【特許文献１】特開２０１６−１０２０２８号公報
【特許文献２】特開平１１−３０１９１５号公報
【特許文献３】特開２０００−２２９７６６号公報
【特許文献４】特開２０１４−８３７７７号公報
【特許文献５】実登３１２４１８３号公報
【特許文献６】特開平７−２５２０１０号公報
【非特許文献】
【０００５】
【非特許文献１】トラスコ中山株式会社  品番TEX−２６６A
【発明の概要】
【発明が解決しようとする課題】
【０００６】
非特許文献１は、粘着テープ紙管ホルダーに装着された粘着テープから巻き外された粘着テープをラチェットギア付着管と粘着テープ挟み板とにより挟んでいて、粘着テープから巻き外された粘着テープをローラー方向に運ぶ際に、粘着テープ挟み板を一方の手の指で上げているが、ラチェットギア付着管と粘着テープ挟み板との間の空間が狭い問題点と共に、粘着テープ挟み板を一方の手の指で押さえて、粘着テープをローラー方向に運ぶ操作は非常に困難が伴う欠点があった。
【０００７】
非特許文献１は、粘着テープを繰り出す際に粘着テープと粘着テープ挟み板との摩擦抵抗が多く粘着テープの繰り出しが重くなる問題点があった。
【０００８】
本発明は、以上のような従来の欠点に鑑み、粘着テープから巻き外された粘着テープをラチェットギア付着管と粘着テープ押さえローラーで挟む形状にして、粘着テープ押さえローラーを上げた際に、粘着テープ押さえローラーを上げた位置に留める機能にしたテープカッターを提供することで問題点を解消した。
【課題を解決するための手段】
【０００９】
請求項１は、粘着テープを収納して使用するテープカッター（１）は、粘着テープ押さえ板(２)と紙管ホルダー(３)を有するカッターボディー(４)に設けられたローラー軸(５)にローラー(６)が装着されて、カッターボディー(４)上部にカッター刃ホルダー(７)とカッター刃(８)が装着され、カッターボディーの下部に設けられた付着管軸(１０)にラチェットギア付着管(１１)が装着されている、と共に、カッターボディー(４)上部に設けられた粘着テープ押さえ板装着軸(１２)に粘着テープ押さえローラーアームストッパー(１６)を有するラチェットギアコントロールバー(１３)と、粘着テープ押さえローラー(１５)を有する粘着テープ押さえローラーアーム(１４)とスプリング(１９)が装着されていて、粘着テープ（１）操出後の際にスプリング(１９)によりラチェットギア付着管(１１)のギアとラチェットギアコントロールバー(１３)が係止して粘着テープ(１)がラチェットギア付着管(１１)と粘着テープ押さえローラー(１５)に挟まって粘着テープ（１）の巻き戻りが防止されるテープカッター。
【００１０】
請求項２は、上記、粘着テープ押さえ板装着軸(１２)に突起(１８)と、コントロールレバー(２０)が装着されていて、コントロールレバー(２０)と粘着テープ押さえ板装着軸(１２)と突起(１８)は一体に作動していて、カッターボディー(４)に形成されたコントロールレバーストッパー(２１)にコントロールレバー(２０)を留て、ラチェットギア付着管(１１)と粘着テープ押さえローラー(１５)の距離を空けて粘着テープ押さえローラー(１５)を停止せておくことが出来て、カッターボディー(４)に粘着テープ（１）を装着する際に粘着テープ（１）端をローラー(６)方向に容易にセットすることをでき様に成っているテープカッター。
【００１１】
粘着テープを収納して使用するテープカッターは、粘着テープを装着する紙管ホルダーを有するカッターボディーに設けられたローラー軸にローラーが装着されて、カッターボディー上部に装着されたカッター刃ホルダーにカッター刃とカッター刃カバー装着されている。
【００１２】
カッターボディー下部に付着管軸が設けられていて、付着管とラチェットギアが一体に形成されたラチェットギア付着管に付着管軸が挿入されている、と共に、カッターボディー上部に設けられた粘着テープ押さえ板を装着する粘着テープ押さえ板装着軸にラチェットギアコントロールバーと粘着テープ押さえローラーアームが設けられ、粘着テープ押さえローラーアームに粘着テープ押さえローラーが装着され、ラチェットギアコントロールバーに粘着テープ押さえローラーアームストッパーが設けられていて、カッターボディーにラチェットギアコントロールバーストッパーが設けられている。
【００１３】
粘着テープ押さえ板装着軸に粘着テープ押さえローラーアームと突起が設けてあって、スプリング装着されて、粘着テープ押さえローラーアームに装着された粘着テープ押さえローラーと、粘着テープ押さえローラーアームストッパーを有するラチェットギアコントロールバーは、スプリングによりラチェットギア付着管に接触できている。
【００１４】
粘着テープ押さえ板装着軸の一端に粘着テープ押さえローラーアームを操作する為のコントロールレバーが装着されていて、コントロールレバーと粘着テープ押さえ板装着軸と突起は一体に作動していて、カッターボディーにコントロールレバーストッパーが形成されている。
【発明の効果】
【００１５】
以下図面に基づき説明する。
図１−図４、符合１−符号２１は、粘着テープを収納して使用するテープカッター（１）は、粘着テープ押さえ板(２)と粘着テープを装着する紙管ホルダー(３)を有するカッターボディー(４)に設けられたローラー軸(５)にローラー(６)が装着されて、カッターボディー(４)上部の装着されたカッター刃ホルダー(７)にカッター刃(８)とカッター刃カバー(９)装着され、カッターボディー(４)下部に付着管軸(１０)が設けられていて、付着管とラチェットギアが一体に形成されたラチェットギア付着管(１１)に付着管軸(１０)が挿入されている。
【００１６】
カッターボディー(４)上部に設けられた粘着テープ押さえ板装着軸(１２)にラチェットギアコントロールバー(１３)と粘着テープ押さえローラーアーム(１４)とスプリング(１９)が装着されていて、粘着テープ押さえローラーアーム(１４)に粘着テープ押さえローラー(１５)が装着され、ラチェットギアコントロールバー(１３)に粘着テープ押さえローラーアームストッパー(１６)が設けられている事において、粘着テープを操出後の際にスプリング(１９)により粘着テープ押さえローラーアーム(１４)は紙管ホルダー(３)方向に移動し、粘着テープ押さえローラーアームストッパー(１６)を押して、ラチェットギアコントロールバー(１３)とラチェットギア付着管(１１)のギアが係止して、粘着テープがラチェットギア付着管(１１)と粘着テープ押さえローラー(１５)に挟まれて粘着テープの巻き戻りが防止される。
【００１７】
粘着テープ押さえ板装着軸(１２)に粘着テープ押さえローラーアーム(１４)と突起(１８)が設けてあり、粘着テープ押さえ板装着軸(１２)の一端に粘着テープ押さえローラーアーム(１４)を操作する為のコントロールレバー(２０)が装着されていて、コントロールレバー(２０)と粘着テープ押さえ板装着軸(１２)と突起(１８)は一体に作動している事において、コントロールレバー(２０)を上げて粘着テープ押さえローラーアーム(１４)と粘着テープ押さえローラー(１５)を上に移動して、ラチェットギア付着管(１１)と粘着テープ押さえローラー(１５)との距離を広げることができる。
【００１８】
カッターボディー(４)にコントロールレバーストッパー(２１)が形成されている事において、コントロールレバーストッパー(２１)にコントロールレバー(２０)を留めて、ラチェットギア付着管(１１)と粘着テープ押さえローラー(１５)の距離を空けて粘着テープ押さえローラー(１５)を停止させておくことが出来て、カッターボディー(４)に粘着テープを装着する際に粘着テープ端をローラー(６)方向に容易にセットすることができ様に成っている。
【図面の簡単な説明】
【００１９】
【図１】テープカッター（１）の右側面斜視図、テープカッター（１）の右側面斜め上からみた図
【図２】テープカッター（１）の右側面斜視図、テープカッター（１）の右側面斜め後ろの下からみた図
【図３】テープカッター（１）の左側面斜視図、テープカッター（１）からカッターボディー(４)を外した、左側面を斜め前の上から見た図
【図４】テープカッター（１）の右側面斜視図、テープカッター（１）からカッターボディー(４)を外して、左側面を斜め後ろの下から見た図
【発明を実施するための形態】
【００２０】
以下図面に基づき説明する。
図１−図符  合１−符号２１は、粘着テープを収納して使用するテープカッター（１）は、粘着テープ押さえ板(２)と粘着テープを装着する紙管ホルダー(３)を有するカッターボディー(４)に設けられたローラー軸(５)にローラー(６)が装着されて、カッターボディー(４)上部に装着されたカッター刃ホルダー(７)にカッター刃(８)とカッター刃カバー(９)装着されている。
【００２１】
カッターボディー(４)下部に付着管軸(１０)が設けられていて、付着管とラチェットギアが一体に形成されたラチェットギア付着管(１１)に付着管軸(１０)が挿入されている、と共に、カッターボディー(４)上部に設けられた粘着テープ押さえ板(２２)を装着する粘着テープ押さえ板装着軸(１２)にラチェットギアコントロールバー(１３)と粘着テープ押さえローラーアーム(１４)が設けられ、粘着テープ押さえローラーアーム(１４)に粘着テープ押さえローラー(１５)が装着され、ラチェットギアコントロールバー(１３)に粘着テープ押さえローラーアームストッパー(１６)が設けられていて、カッターボディー(４)にラチェットギアコントロールバーストッパー(１７)が設けられている。
【００２２】
粘着テープ押さえ板装着軸(１２)に粘着テープ押さえローラーアーム(１４)と突起(１８)が設けてあって、スプリング(１９)装着されて、粘着テープ押さえローラーアーム(１４)に装着された粘着テープ押さえローラー(１５)と粘着テープ押さえローラーアームストッパー(１６)を有するラチェットギアコントロールバー(１３)はスプリング(１９)によりラチェットギア付着管(１１)に接触できている。
【００２３】
粘着テープ押さえ板装着軸(１２)の一端に粘着テープ押さえローラーアーム(１４)を操作する為のコントロールレバー(２０)が装着されていて、コントロールレバー(２０)と粘着テープ押さえ板装着軸(１２)と突起(１８)は一体に作動していて、カッターボディー(４)にコントロールレバーストッパー(２１)が形成されている。
【産業上の利用可能性】
【００２４】
従来のハンドテープカッターを使い易くしたことで梱包等の能率向上に繋がって産業上の利用可能性が高いと思われます。
【符号の説明】
【００２５】
１  テープカッター
２  粘着テープ押さえ板
３  紙管ホルダー
４  カッターボディー
５  ローラー軸
６  ローラー
７  カッター刃ホルダー
８  カッター刃
９  カッターカバー
１０  付着管軸
１１  ラチェットギア付着管
１２  粘着テープ押さえ板装着軸
１３  ラチェットギアコントロールバー
１４  粘着テープ押さえローラーアーム
１５  粘着テープ押さえローラー
１６  粘着テープ押さえローラーアームストッパー
１７  ラチェットギアコントロールバーストッパー
１８  突起
１９  スプリング
２０  コントロールレバー
２１  コントロールレバーストッパー
【図１】
2020083605.tif 000003
【図２】
2020083605.tif 000004
【図３】
2020083605.tif 000005
【図４】
2020083605.tif 000006